(57)【要約】【課題】確実に自転車のフレームに固定することができる照明器具を具えてなる照明器具を具えた自転車のフレームを提供する。【解決手段】ハンドルとフロントフォークとの間にヘッドチューブを設けてなり、該ヘッドチューブ上には照明器具が接続して設けられ、該照明器具はヘッドチューブ上に形成された嵌合孔に接続して設けられてフレームの前方を照射する光線を提供するために供する構造からなることを特徴とする確実に自転車のフレームに固定することができる照明器具を具えてなる。【選択図】図3
0003126643.tif 000002
【実用新案登録請求の範囲】
【請求項１】
ハンドルとフロントフォークとの間にヘッドチューブを設け、
該ヘッドチューブ上には照明器具が設けられ、
該照明器具はヘッドチューブ上に形成された嵌合孔に接続して設けられ、フレームの前方を照射する光線を提供することを特徴とする照明器具を具えた自転車のフレーム。
【請求項２】
前記照明器具は、嵌合孔に嵌合されるライトケースと、
該ライトケースの内部に設けられる電気回路板と、
該電気回路板上に設けられる少なくとも１以上の発光素子と、
該発光素子に電気的に接続する電気供給素子とを含んでなることを特徴とする請求項１に記載の照明器具を具えた自転車のフレーム。
【請求項３】
前記発光素子は発光ダイオード、ハロゲンランプと、白熱電球から選択することができることを特徴とする請求項２に記載の照明器具を具えた自転車のフレーム。
【請求項４】
前記電気供給素子はライトケースの内部に設けることを特徴とする請求項２に記載の照明器具を具えた自転車のフレーム。
【請求項５】
前記電気供給素子は蓄電池であることを特徴とする請求項４に記載の照明器具を具えた自転車のフレーム。
【請求項６】
前記電気供給素子はライトケースの外部に設けられることを特徴とする請求項２に記載の照明器具を具えた自転車のフレーム。
【請求項７】
前記ライトケースは嵌合孔に嵌合し、固定するために適した形状を具えてなることを特徴とする請求項１に記載の照明器具を具えた自転車のフレーム。
【請求項８】
前記ライトケースは互いに組み合わせて接続するライトベースと透光性を具えてなるライトカバーとを含んでなることを特徴とする請求項１に記載の照明器具を具えた自転車のフレーム。
【請求項９】
前記ライトベースと透光性を具えたライトカバーの接続箇所には挟持するように第一パッドが設けられることを特徴とする請求項８に記載の照明器具を具えた自転車のフレーム。
【請求項１０】
前記照明器具はヘッドチューブの接続箇所に挟持するように設ける第二パッドを具えてなることを特徴とする請求項１に記載の照明器具を具えた自転車のフレーム。
【考案の詳細な説明】
【技術分野】
【０００１】
この考案は、自転車のフレームに関し、特に自転車などに取り付けて夜間、進行方向を照らす照明器具が埋蔵された照明器具を具えた自転車のフレームに関する。
【背景技術】
【０００２】
夕方や夜、薄暗い道を自転車で走行する場合の安全を確保するため、自転車のハンドル、もしくはフレーム上には照明器具を設けて前方の道路を照らし、路面の状況を確認する光源を提供する。
【０００３】
自転車に設ける照明器具はいずれも外部にフックなどで嵌合して設ける方法が採用されている。よって、照明器具はフック、もしくは挟持具を通してハンドル、もしくはフレームの適宜な位置に接続して設けることができる。
【０００４】
外部にフックなどで嵌合して設ける照明器具は必ず強固に位置決めしなければならず、ハンドル、もしくはフレームに緩んだ状態接続している場合、照明器具が容易に移動したり、傾いたりして光線の照射方向や、角度が予め設定した位置に固定されず自転車の走行の安全に深刻な影響を与える。
【０００５】
また、外部に嵌合して設ける照明器具は、自転車の付属品に属する。よって、自転車の付属品として設計された照明器具ではなく、購入者が選択して設けた照明器具がデザインの設計と自転車のデザインのタイプが合っていない場合、照明器具だけがデザインから突出してしまうか、視覚的に違和感を感じる。
【０００６】
上述の問題を解決するため、外部に嵌合する方法で設ける照明器具の生産業者は、様々なフックや挟持具を改良、開発して照明器具を自転車に設ける時に確実に固定でき、緩まないように固定する力を強化してきた。
【０００７】
しかしながら、フックや挟持具を利用して自転車上に接続する外部に嵌合する方法で設ける照明器具は、フレームの振動を受けて接続部分が緩み、外れることがある。
【考案の開示】
【考案が解決しようとする課題】
【０００８】
この考案は、確実に自転車のフレームに固定することができる照明器具を具えてなる照明器具を具えた自転車のフレームを提供することを課題とする。
【課題を解決するための手段】
【０００９】
そこで、本考案の考案者は従来の技術に見られる欠点に鑑みて鋭意研究を重ねた結果、ハンドルとフロントフォークとの間にヘッドチューブを設けてなり、該ヘッドチューブ上には照明器具が接続して設けられ、該照明器具はヘッドチューブ上に形成された嵌合孔に接続して設けられてフレームの前方を照射する光線を提供するために供する構造からなる。
【００１０】
以下、この考案について具体的に説明する。
請求項１に記載する照明器具を具えた自転車のフレームは、ハンドルとフロントフォークとの間にヘッドチューブを設けてなり、該ヘッドチューブ上には照明器具が接続して設けられ、該照明器具はヘッドチューブ上に形成された嵌合孔に接続して設けられてフレームの前方を照射する光線を提供するために供する構造からなる。
【００１１】
請求項２に記載の照明器具を具えた自転車のフレームは、請求項１における照明器具が、嵌合孔に嵌合されるライトケースと、該ライトケースの内部に設けられる電気回路板と、該電気回路板上に設けられる少なくとも１以上の発光素子と、該発光素子に電気的に接続する電気供給素子とを含んでなる。
【００１２】
請求項３に記載の照明器具を具えた自転車のフレームは、請求項２における発光素子が発光ダイオード、ハロゲンランプと、白熱電球から選択することができる。
【００１３】
請求項４に記載の照明器具を具えた自転車のフレームは、請求項２における電気供給素子がライトケースの内部に設ける。
【００１４】
請求項５に記載の照明器具を具えた自転車のフレームは、請求項４における電気供給素子が蓄電池である。
【００１５】
請求項６に記載の照明器具を具えた自転車のフレームは、請求項２における電気供給素子がライトケースの外部に設けられる。
【００１６】
請求項７に記載の照明器具を具えた自転車のフレームは、請求項１におけるライトケースが嵌合孔に嵌合し、固定するために適した形状を具えてなる。
【００１７】
請求項８に記載の照明器具を具えた自転車のフレームは、請求項１におけるライトケースが互いに組み合わせて接続するライトベースと透光性を具えてなるライトカバーとを含んでなる。
【００１８】
請求項９に記載の照明器具を具えた自転車のフレームは、請求項８におけるライトベースと透光性を具えたライトカバーの接続箇所には挟持するように第一パッドが設けられる。
【００１９】
請求項１０に記載の照明器具を具えた自転車のフレームは、請求項１における照明器具がヘッドチューブの接続箇所に挟持するように設ける第二パッドを具えてなる。
【考案の効果】
【００２０】
この考案の確実に自転車のフレームに固定することができる照明器具を具えてなる照明器具を具えた自転車のフレームは、照明器具を接続する部材を必要としないため、照明器具が外れることがないとともに、フレームと一体に設けられるため、照明器具がデザイン的に突出することがなく、美観を保つことができる効果を有する。
【考案を実施するための最良の形態】
【００２１】
この考案は、確実に自転車のフレームに固定することができる照明器具を具えてなる照明器具を具えた自転車のフレームであって、ハンドルとフロントフォークとの間にヘッドチューブを設けてなり、該ヘッドチューブ上には照明器具が接続して設けられ、該照明器具はヘッドチューブ上に形成された嵌合孔に接続して設けられてフレームの前方を照射する光線を提供するために供する構造からなる。
かかる確実に自転車のフレームに固定することができる照明器具を具えてなる照明器具を具えた自転車のフレームの構造と特徴を詳述するために具体的な実施例を挙げ、図示を参照にして以下に説明する。
【実施例】
【００２２】
図１、図２に開示するように、照明器具１０は自転車のフレーム２０のヘッドチューブ２２上に設けられる。該ヘッドチューブ２２はフレーム２０のハンドル２４とフロントフォーク２６との間に設けられる。よって、ハンドル２４とフロントフォーク２６がヘッドチューブ２２を通して接続され、フレーム２０と連結されるとともに、ハンドル２４がフロントフォーク２６と回動自在に設けられる前輪２６２の走行する方向を制御できる。
【００２３】
この考案の照明器具１０はヘッドチューブ２２上の内部に埋め込まれるように設けられる。該照明器具１０はフック、もしくは挟持具を必要とすることなくフレーム上に固定することができる。よってフック、もしくは挟持具が緩むことや、外れるなどの問題が発生しない。
【００２４】
図３は、フレーム２０の局部の構造と照明器具１０の分解図を示したものである。図面によれば、フレーム２０のヘッドチューブ２２上には照明器具１０を設けるために供する嵌合孔２２２が設けられる。該嵌合孔２２２はヘッドチューブ２２の直径方向に凹溝と孔とを形成し、フレーム２０前方の方向に開口を形成する。また、嵌合孔２２２の形状と孔の深さが照明器具１０を内部に嵌合するために供することができるように適宜に形成されるため、照明器具１０とヘッドチューブ２２を嵌合し固定して設けることができる。
【００２５】
照明器具１０はライトケース１２を含んでなり、該ライトケース１２は内部に設置空間を具えてなり、電気回路板１４と、発光素子１６と、電気供給素子１８を設けるために供する。
【００２６】
該ライトケース１２は互いに組み合わせて設けるライトベース１２２と、透光性を具えてなるライトカバー１２４とを含んでなる。該ライトベース１２２は底板１２２２と、該底板１２２２からライトベース１２２に向けて延伸した第一スリーブ１２２４とを具えてなる。該ライトカバー１２４は透光フィルム１２４２と、透光フィルム１２４２からライトカバー１２４に向けて延伸した第二スリーブ１２４４とを具えてなる。
【００２７】
第一スリーブ１２２４と第二スリーブ１２４４は、互いに緊密に接続する形状とサイズを具えて形成されるため、ライトベース１２２とライトカバー１２４とを互いに組み合わせてライトケース１２を形成することができ、好ましい密封性を具えることができる。
【００２８】
組み合わせて形成するライトカバー１２４は、内部の密封性を高めるためライトベース１２２とライトカバー１２４の接続箇所に第一パッド１２１を設けて湿気、もしくは雨水などが接続箇所から内部に進入し、内部に積水することを防ぐとともに、内部の電気素子が湿気などの影響でショートすることや、漏電する比率を低下させる。
【００２９】
ライトケース１２はヘッドチューブ２２に形成された嵌合孔２２２の内部に緊密に嵌合し固定して設けられる。また、ライトケース１２の外観は嵌合孔２２２の内部に嵌合、固定するために適した形状に形成される。即ち、嵌合孔２２２の形状とライトケース１２の外観は、緊密に嵌合、固定するために適した関係に対応するような形状を具えてなる。
【００３０】
また、ライトケース１２とヘッドチューブ２２は組み合わせると湿気、もしくは雨水が接続箇所からヘッドチューブ２２の内部に進入することを防ぐことができる。さらに、ライトケース１２とヘッドチューブ２２の接続箇所上には挟持するように第二パッド１２３が設けられ、該第二パッド１２３により密封及び防水、露が進入することを防ぐ効果が提供される。
【００３１】
照明する光線を発生させるため、ライトケース１２の内部には電気回路板１４が設けられる。該電気回路板１４上には少なくとも１以上の発光素子１６が設けられる。また、ライトケース１２の内部には発光素子１６に電気的に接続した少なくとも１以上の電気供給素子１８が設けられる。
【００３２】
図４は、照明器具１０をフレーム２０のヘッドチューブ２２上に設けた状態の局部拡大図を示したものである。図面によれば、電気回路板１４はライトベース１２２の内部に係合するか、ネジで固定して設けられる。該発光素子１６は電気回路板１４上のライトカバー１２４に対向する側面に設けられる。また、電気回路板１４のもう一方の側面には電気供給素子１８が設けられ、発光素子１６に必要な電力を供給し、光線を発生させる。
【００３３】
このように該照明器具１０を自転車のフレーム２０上に設ける。即ち、ヘッドチューブ２２の内部に埋め込むように照明器具１０を設けてフレーム２０の前方を照射する光線を提供する。
【００３４】
前述の電気回路板１４及び発光素子１６はこの考案の実施例に限らず、実施する場合には発光素子１６に発光ダイオードだけでなく、ハロゲンランプや白熱電球などを利用してもよく、電力の供給を通して、照射する光線を提供することができる製品に変更してもよい。
【００３５】
電気供給素子１８は様々な蓄電池を使用することができる。該蓄電池は図面に開示した薄い形態の電池や乾電池に限らない。また、電気供給素子１８はライトケース１２の内部に設けるだけでなく、ライトケース１２内の電気回路板１４及び発光素子１６に直接接続して設けて、発光素子１６が必要とする電力を供給してもよい。設計上、電気供給素子１８をライトケース１２の外部に設けてもよく、導線と発光素子１６が電気的に接続していればよい。
【００３６】
前述のように、この考案の照明器具１０は自転車のフレーム２０のヘッドチューブ２２上に埋め込むように設けられ、ライトケース１２の内部に照射する光線の光源を発生させて透光性を具えたライトカバー１２４を通してフレーム２０の前方を照射する。
【００３７】
従来の外部に嵌合する方法で設ける照明器具に比べ、この考案の照明器具１０はヘッドチューブ２２に埋め込むように設けるため、フックや挟持具などが緩むことや外れることによる問題の発生を防ぐことができる。また、埋め込むように設ける照明器具１０は、照明器具１０がフレーム２０と一体化され、フレーム２０全体の外観においても外部に嵌合する方法で設ける照明器具のように照明器具だけが突出した感じや違和感を感じることがない。
【００３８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００３９】
【図１】この考案の照明器具を設けた自転車を示した斜視図である。
【図２】この考案の照明器具を設けた自転車を示した局部拡大図である。
【図３】この考案の照明器具を示した分解図である。
【図４】この考案の照明器具を示した断面図である。
【符号の説明】
【００４０】
１０        照明器具
１２        ライトケース
１２１      第一パッド
１２２      ライトベース
１２２２    底板
１２２４    第一スリーブ
１２３      第二パッド
１２４      ライトカバー
１２４２    透光フィルム
１２４４    第二スリーブ
１４        電気回路板
１６        発光素子
１８        電気供給素子
２０        フレーム
２２        ヘッドチューブ
２２２      嵌合孔
２４        ハンドル
２６        フロントフォーク
２６２      前輪
【図１】
0003126643.tif 000003
【図２】
0003126643.tif 000004
【図３】
0003126643.tif 000005
【図４】
0003126643.tif 000006